(57)【特許請求の範囲】
【請求項１】
商品の品番、値段、品名等の商品データと原材料の原産地をラベルに印字するラベルプリンタにおいて、
前記商品データと前記商品を構成している複数の原材料と該原材料の原産地データとを関連付けて記憶する記憶手段と、
前記複数の原材料のうち、所定の原材料の原産地データを呼び出し、該原材料の原産地データを変更する変更手段と、
前記変更手段による変更内容を、前記変更になった原材料が関連付けられている商品データの原材料の原産地データに更新する更新手段と、
を具備する事を特徴とするラベルプリンタ。
【請求項２】
前記記憶手段は、前記商品データと、商品の原材料構成を示す識別情報とを関連付けて記憶する商品ファイルと、
前記識別情報と、商品の原材料名、原材料の原産地データ等の原材料データとを関連付けて記憶する原材料ファイルとを有し、
前記変更手段により、前記原材料の原産地データが変更された原材料データと同一の原材料データを含む前記識別情報を前記原材料ファイルから抽出する抽出手段を具備し、
前記更新手段は、前記抽出手段により抽出された全ての前記識別情報について、前記変更手段により変更された原材料の原産地データを更新する事を特徴とする請求項１に記載のラベルプリンタ。
【請求項３】
前記変更手段は前記原材料ファイルの原材料の産地データを設定する設定モードにて変更される事を特徴とする請求項１、２に記載のラベルプリンタ。
【請求項４】
前記商品の品番の入力操作を行う操作手段と、
前記操作手段による品番の入力に基づき前記原材料データを呼び出す呼び出し手段と、
前記呼び出し手段により呼び出された前記原材料データを表示する表示手段と、
前記変更手段は前記原材料の原産地データが変更され、該呼び出された原材料データを変更され、前記更新手段は前記表示手段で変更時の表示画面を終了する際に更新を行う事を特徴とする請求項３に記載のラベルプリンタ。
【発明の詳細な説明】
【技術分野】
【０００１】
本発明は、商品の産地を印字する機能を有するラベルプリンタに関する。
【背景技術】
【０００２】
スーパーマーケット等で使用されるラベルプリンタにおいて、各ＰＬＵ（Ｐｒｉｃｅ Ｌｏｏｋ Ｕｐ）データに商品の産地を設定しておくことで、ＰＬＵデータを呼び出し、ＰＬＵデータのラベルを発行する際に商品名と合わせて商品の産地も印字することは既に行われている。そして、１つの材料から１つの商品が構成されており、該商品に対して１つのＰＬＵデータが設定されている例として、例えば、特開２００１−１８００４９号には、「牛モモ焼肉用」はアメリカ産であることが１つのＰＬＵに設定されており、その原産地名称を変更する場合には、所定のボタン操作により表示部に登録モードにおける原産地名称設定画面が表示され、該画面にて「アメリカ産」を「青森産」に変更できることが開示されている。（例えば、特許文献１参照）
【特許文献１】特開２００１−１８００４９号公報
【発明の開示】
【発明が解決しようとする課題】
【０００３】
しかしながら、複数の原材料の商品から一つの商品が構成されて、該商品に対して一つのＰＬＵが構成されているような場合、例えば、フルーツ盛り合わせという一つのＰＬＵ、また季節のフルーツの盛り合わせという別のＰＬＵがあり、それぞれのＰＬＵにいちごが含まれており、いちごの産地を変更しようとする場合、いちごが含まれるＰＬＵデータ全てに対して従来のような産地変更の操作をしなければならず、操作が煩雑であり、またその操作の数が多いと操作ミスに繋がるという問題があった。
【０００４】
本発明はかかる課題を解決するためになされたもので、複数の原材料の商品から１つのＰＬＵが構成されているような場合に、該原材料の商品の産地等が変更された場合でも煩雑な操作なしで産地等の変更を可能にするラベルプリンタを提供することを目的とする。
【課題を解決するための手段】
【０００５】
本発明は上記の課題を解決するためになされたもので、請求項１に記載の発明は、商品の品番、値段、品名等の商品データと原材料の原産地をラベルに印字するラベルプリンタにおいて、前記商品データと前記商品を構成している複数の原材料と該原材料の原産地データとを関連付けて記憶する記憶手段と、前記複数の原材料のうち、所定の原材料の原産地データを呼び出し、該原材料の原産地データを変更する変更手段と、前記変更手段による変更内容を、前記変更になった原材料が関連付けられている商品データの原材料の原産地データに更新する更新手段と、を具備する事を特徴とするラベルプリンタである。
【０００６】
また、請求項２に記載の発明は、前記記憶手段は、前記商品データと、商品の原材料構成を示す識別情報とを関連付けて記憶する商品ファイルと、前記識別情報と、商品の原材料名、原材料の原産地データ等の原材料データとを関連付けて記憶する原材料ファイルとを有し、前記変更手段により、前記原材料の原産地データが変更された原材料データと同一の原材料データを含む前記識別情報を前記原材料ファイルから抽出する抽出手段を具備し、前記更新手段は、前記抽出手段により抽出された全ての前記識別情報について、前記変更手段により変更された原材料の原産地データを更新する事を特徴とする請求項１に記載のラベルプリンタである。
【０００７】
また、請求項３に記載の発明は、前記変更手段は前記原材料ファイルの原材料の産地データを設定する設定モードにて変更される事を特徴とする請求項１、２に記載のラベルプリンタである。
【０００８】
また、請求項４に記載の発明は、前記商品の品番の入力操作を行う操作手段と、前記操作手段による品番の入力に基づき前記原材料データを呼び出す呼び出し手段と、前記呼び出し手段により呼び出された前記原材料データを表示する表示手段と、前記変更手段は前記原材料の原産地データが変更され、該呼び出された原材料データを変更され、前記更新手段は前記表示手段で変更時の表示画面を終了する際に更新を行う事を特徴とする請求項３に記載のラベルプリンタである。
【発明の効果】
【０００９】
請求項１の発明によれば、商品の原材料の原産地データを変更するだけで、同一の原材料を含む他の商品についても原材料の原産地データが変更できるので、同一の原材料を含む全ての商品に対して変更操作をする必要がないので、煩雑な操作なしで原産地等の変更をすることができ、操作の誤りも防ぐ事が出来る。
【００１０】
請求項２の発明によれば、原材料の原産地が変更され、原材料ファイルに変更された原材料の識別情報があるかどうか抽出され、抽出された全ての識別情報について原産地が変更されるので、その識別情報が関連付けられている商品データを読み出した際においても、変更された原産地が読み出されるので、同一の原材料を含む全ての商品に対して変更操作をするという煩雑な操作が不要になる。
【００１１】
請求項３の発明によれば、原材料の原産地が変更になった場合、原材料ファイルの一か所を変更するだけで、関連する商品にも該変更が更新されるので、原産地データ変更時のデータ変更箇所が少なく、データ変更がスムーズに行え、また原材料ファイルを変更することで変更する対象の原材料をみつけやすい。
【００１２】
請求項４の発明によれば、品番入力により呼び出された原材料データについて変更ができ、その原産地データの変更がその表示画面を終了する時に併せて更新されるので、変更データの更新のための特別な操作が不要になり、また特別な操作なしに更新することができる。
【発明を実施するための最良の形態】
【００１３】
以下、図面を参照して本発明の第１の実施形態について説明する。図１は本実施形態によるラベルプリンタの全体構成を示すブロック図である。本実施形態によるラベルプリンタは、装置各部を制御するＣＰＵ（中央処理装置：変更手段、更新手段、抽出手段に対応）１と、ＣＰＵ１で使用する各種プログラムが記憶されたＲＯＭ（リードオンリーメモリ）２と、商品ファイル等が記憶されたＲＡＭ（ランダムアクセスメモリ：記憶手段に対応）３と、タッチパネル操作可能な表示部（表示手段に対応）４と、係員が操作を行うための操作部５と、ラベルの印字制御を行うための印字制御部６と、任意の文字、数字、画像をドット単位でラベルに印字を行うためのラベル印字機構部７とから構成されている。操作部５の所定のキー操作によりラベルを発行する値付けモードや商品ファイルも原材料ファイルも設定する設定モード等のモード変更ができる。
【００１４】
図２にＲＡＭ３内に記憶されている商品ファイルの記憶内容の一例を示す。商品ファイルには、商品を呼び出すための品番の欄と、ＰＬＵコードの欄と、品名の欄と、値段の欄と、賞味期限の欄と、原料原産地番号（識別情報に対応）の欄と、ラベルフォーマットの欄等とがある。原料原産地番号の欄には、商品毎に番号データが格納されており、後述の図４の原料原産地ファイルにおいてその商品を構成している原材料を示す原材料番号との関連付けがされている。ラベルを発行する値付けモードで操作部５の数字キーと、品番キーとが押されることで、当該品番の品名、値段、賞味期限、原料原産地番号などが呼び出され、表示部４に表示される。
【００１５】
図３にＲＡＭ３内に記憶されている原材料ファイルの記憶内容の一例を示す。各原材料名を識別する原材料番号毎に、原材料名、産地が設定されている。産地は一つでも複数でも設定可能である。図４にＲＡＭ３内に記憶されている原料原産地ファイルの記憶内容の一例を示す。原料原産地ファイルは、図３の原材料ファイルから選択された原材料番号に関連付けられている原材料名、産地が複数設定されており、一つの原料原産地番号が構成している。例えば、図４の例では、原料原産地番号１には原材料番号１、２、３が設定されているので、原材料名いちご、オレンジ、バナナから構成されている事を示しており、それぞれの産地は栃木、ニュージーランド、フィリピンである事を示している。そして、前記のように原料原産地番号が商品ファイルの各品番に設定されている。前記の例では、原料原産地番号番号１が品番１に設定されている。
【００１６】
次に、上述した第１の実施形態の動作についてフローチャートを用いて説明する。図５は本実施形態のラベルプリンタの産地変更操作時のフローである。まず、ステップＳ１では、ラベルを発行する値付けモードで、係員により操作部５の数字キーと、品番キーが押されることで、ＣＰＵ１が商品ファイルから当該品番のデータを読み出し、表示部４に表示させる。品番１が呼び出された時には、ＰＬＵコード００００１、品名カットフルーツ１、値段￥９８０、賞味期限２００５年９月１日、原料原産地番号１、ラベルフォーマット１の各データが読み出されて、表示部４に表示される。
【００１７】
ステップＳ２では、ステップＳ１で表示部４に表示されたデータの内の原料原産地番号の欄が係員により押される。
ステップＳ３では、品番１には原料原産地番号１が関連付けられていて、原料原産地番号１に設定されている原材料番号１、２、３のデータについて、つまり原材料名（いちご、オレンジ、バナナ）と、それぞれの産地データとが表示部４に表示される。
【００１８】
ステップＳ４では、係員により表示部４に表示された原材料名の産地データの変更がなされる。例えば、原材料番号１のいちごの産地を栃木から千葉に変更する場合、表示部４に表示されている産地データの栃木という欄が押されると、全ての都道府県名で表示され、その中で、“千葉”が選択されると、原料原産地ファイル（図４）の原料原産地番号１に設定されている原材料番号１のいちごの産地データが千葉に変更され、変更の対象となった原材料番号“１”と産地データ“千葉”とがＲＡＭ３の所定エリアに一時記憶される。
ステップＳ５では、係員により操作部５の確定キーが押される。
【００１９】
ステップＳ６では、ＣＰＵ１がステップＳ５で確定キーが押されると、ステップＳ４で産地変更された同じ原材料番号を原料原産地ファイルから検索する。ステップＳ７では原材料の産地データを変更する画面から抜ける終了キーを押すことで、ステップＳ６で検索された原料原産地ファイルの原材料番号の産地データをステップＳ４で一時記憶した産地データに変更し、全ての変更をし終えたら、前記一時記憶された原材料番号と産地データはクリアされる。尚、ステップＳ４で産地変更された原材料番号のデータが原料原産地ファイルにて検索されなければ終了し、前記一時記憶されたデータはクリアされる。
【００２０】
これにより、品番１を入力することで呼び出されたデータから、原材料番号１のいちごの産地を栃木から千葉に変更すると、原材料番号１のいちごを含む他の商品の産地データについても同様に栃木から千葉に変更されるので、同一の原材料を含む商品の産地データを一つ一つ手動の操作により変更する手間が省けると共に、操作により変更する箇所が減るので、操作ミスも軽減させる事ができる。又、原材料の産地の変更も確認し、その変更画面を抜ける終了キーを押下すると、更新すべき場合は自動的に更新されるので、更新し忘れがなくなる。
【００２１】
以下、本発明の第２の実施形態について説明する。
ここでは、ＲＡＭ３に記憶されている図３に示す原材料ファイルから産地を変更する一例を示す。
例えば、ある店舗にて入荷されたいちごの産地が栃木から千葉に変更があった場合には、産地を変更する原材料が分かっているので、原材料を設定する設定モードでは対象となる原材料を見つけ易くなる。以下、設定モードから産地を変更する産地変更操作を図６に示すフローにて説明する。
【００２２】
ステップＳ１１では、操作部５でのキー操作により設定モードに変更する。
ステップＳ１２では、設定モードにすると、表示部に商品ファイル、原材料ファイル、印字フォーマットファイルなどが列挙され、原材料ファイルをタッチすることで原材料ファイルが読み出され、図３に示すような設定されている原材料情報が一覧表示される。尚、新たに原材料情報を設定する場合は、図３の“原材料番号”をタッチすると、“原材料番号”、“原材料名”、“産地１”、“産地２”、“産地３”の全ての欄が空欄である新たな原材料情報が設けられ、原材料番号には操作部５の数字キーを用いて入力し、原材料名には、原材料名の空欄部分をタッチすることで五十音キーが表示され、該キーを用いて入力し、各産地欄をタッチすることで全ての都道府県が表示され所定の産地を選択して入力する。
【００２３】
ステップＳ１３では、ステップＳ１２で一覧表示された中から例えば「原材料番号１」がタッチされることで、対象の原材料「いちご」が特定され、図７のように表示される。
ステップＳ１４では、図７の産地の欄をタッチすることで、全ての都道府県が表示され、その中から千葉を選択する。
【００２４】
ステップＳ１５では、産地データが千葉に変更され、同画面中の確定キーが押されると、原材料ファイルの設定データが変更され、更に当該変更された原材料番号と産地データとがＲＡＭ３の所定エリアに一時記憶される。この場合は、原材料番号が“１”と、産地データが“千葉”と、が記憶される。
ステップＳ１６では、原材料データの設定の変更を終了するために、終了キーが押されると、図４の原料原産地ファイルに、ステップＳ１５で一時記憶された原材料番号“１”があるかどうか検索される。
ステップＳ１７では、ステップＳ１６でＹＥＳの場合、つまり原料原産地ファイルに原材料番号“１”があった場合は、検索された番号に関連付けられている産地データ、つまり栃木を、ステップＳ１５で一時記憶された千葉に更新する。そして、検索された全ての原材料番号“１”に対して、産地データを“千葉”へ更新し、その後にステップＳ１５で一時記憶された原材料番号と産地データとがクリアされる。
これにより、原料原産地ファイルが変更され、関連付けられている品番を選択したとしても正しい産地が読み出されるようになる。
【００２５】
本発明を、上記実施形態を用いて説明したがこれに限らない。
なお、原材料の産地データの変更には、産地名を追加・削除する場合についても含まれる。
また、ステップＳ１では、変更したい原材料を含む商品の品番を操作部５で入力することにより、変更したい原材料のデータを呼び出したが、変更したい原材料名を入力することにより呼び出すようにしても良い。
また、商品はカットフルーツに限らず、カット野菜や、刺身の盛り合わせ、いくつかの種類の肉からなる焼肉用肉の盛り合わせであってもよい。
【００２６】
また、ラベル印字時に産地名の追加等して産地名の文字数が増えたことにより、所定の産地データの印字エリアに入りきらなくなった場合は、一枚目は通常のラベルフォーマットで産地名データが印字されない値付けラベルを発行し、二枚目はラベルの産地データの印字エリアが拡大されたラベルフォーマットで産地データを印字するようにしても良い。
原料原産地ファイルには各原料原産地番号に複数の原材料番号のみが設定されていても良い。
そして、値付けモードで、原料原産地番号がタッチされた場合は設定されている原材料番号が表示され、更に各原材料番号がタッチされると原材料ファイルを参照して各原材料と産地とを表示するようにしても良い。
【００２７】
また、更新手段には、図４の原料原産地ファイルでは、原料原産地番号とそれを構成する複数の原材料番号のみが設定されており、原料原産地番号が各品番に対応して設定されているような場合、つまり、図２のように品番１には原料原産地番号１が設定され、品番２には原料原産地番号２が設定されているような場合で、図３の原材料ファイルで、例えば原材料番号１の原材料名いちごの産地を“栃木”から“千葉”へ変更した後、品番１、２を選択して読み出される原料原産地番号１、２に含まれる原材料番号１の産地が、更新されて読み出されるような場合も更新手段とする。
【産業上の利用可能性】
【００２８】
本発明は、商品の産地を印字する機能を有するラベルプリンタに用いて好適である。
【図面の簡単な説明】
【００２９】
【図１】本発明の実施形態にかかるラベルプリンタの構成を示すブロック図である。
【図２】本発明の実施形態にかかるラベルプリンタの商品ファイルの例を示す図である。
【図３】本発明の実施形態にかかるラベルプリンタの原材料ファイルの例を示す図である。
【図４】本発明の第１の実施形態にかかるラベルプリンタの原料原産地ファイルの例を示す図である。
【図５】本発明の第１の実施形態にかかるラベルプリンタの処理内容を示すフローチャートである。
【図６】本発明の第２の実施形態にかかるラベルプリンタの処理内容を示すフローチャートである。
【図７】本発明の第２の実施形態にかかる原材料の産地変更する時の画面表示の一例を示す図である。
【符号の説明】
【００３０】
１              …  ＣＰＵ
２              …  ＲＯＭ
３              …  ＲＡＭ（記憶手段）
４              …  表示部（表示手段）
５              …  操作部
【図１】
0004595800.tif 000002
【図２】
0004595800.tif 000003
【図３】
0004595800.tif 000004
【図４】
0004595800.tif 000005
【図５】
0004595800.tif 000006
【図６】
0004595800.tif 000007
【図７】
0004595800.tif 000008